(57)【特許請求の範囲】
【請求項１】
波長λ1のプローブ光を発するプローブ光光源（１１）と、
前記プローブ光をパルス化するとともに光周波数変調して波長λ1＋Δλの変調プローブ光信号（ＰM）を生成する変調プローブ光信号生成部（１５）とを備え、
前記変調プローブ光信号を光ファイバに送出し、前記光ファイバからの戻り光と前記プローブ光との光ビート信号に基づいて、前記光ファイバの伝送損失特性を算出するコヒーレントＯＴＤＲにおいて、
前記変調プローブ光信号の波長λ1＋Δλと異なる波長λ2のダミー光を発するダミー光光源（１２）と、
前記変調プローブ光信号のオフ期間における前記ダミー光の出力がオン状態とオフ状態を交互に繰り返すように前記ダミー光をパルス化して変調ダミー光信号（ＤM）を生成する変調ダミー光信号生成部（１６、３６）と、
前記変調プローブ光信号と前記変調ダミー光信号を合波して前記光ファイバに送出する光結合器（１７）とを含むコヒーレントＯＴＤＲ。
【請求項２】
前記変調ダミー光信号は、周期的な光パルス信号である請求項１に記載のコヒーレントＯＴＤＲ。
【請求項３】
前記変調ダミー光信号は、時間的にランダムな光パルス信号である請求項１に記載のコヒーレントＯＴＤＲ。
【発明の詳細な説明】
【技術分野】
【０００１】
本発明は、コヒーレントＯＴＤＲに係り、特に、プローブ光をパルス化するとともに光周波数変調して生成されるプローブ光パルス信号を光ファイバに送出し、光ファイバからの戻り光を光ヘテロダイン検波して光ファイバの伝送損失特性を算出するコヒーレントＯＴＤＲに関する。
【背景技術】
【０００２】
ＯＴＤＲ（Optical Time Domain Reflectometer）は、光ファイバに光パルス信号を送出し、光ファイバからの戻り光（反射光や後方散乱光）を受信して解析することにより、光ファイバの伝送損失等の特性を表示する装置である。
【０００３】
光海底ケーブルの敷設・保守用の測定器としては、コヒーレントＯＴＤＲが用いられる。光海底ケーブルシステムには増幅手段としてエルビウム添加ファイバ増幅器（ＥＤＦＡ：Erbium Doped Fiber Amplifier）が用いられている。
【０００４】
しかしながら、ＥＤＦＡを有する光海底ケーブルシステムに、従来のＯＴＤＲのように光パルス信号が入射されると、パルス幅Ｗとパルス周期Ｔとの比であるデューティ比ｄ（＝Ｗ／Ｔ）が比較的低く、パルス周期Ｔが長い場合には、光パルスの先端部分が急激に増幅される光サージ現象の発生が顕著となる。
【０００５】
これは、ＥＤＦＡのエルビウム添加ファイバ中に光パルスが入射されない時間（Ｔ−Ｗ）（以下、無パルス時間と記す）が長いほど、高いエネルギー準位に励起されるエルビウムイオンの数が増加し、一旦光パルスの先端部分がエルビウム添加ファイバ中に入射されると励起された多数のエルビウムイオンの急激なレーザ遷移が生じるためである。このような光サージ現象が発生すると後続の光学機器に対してダメージを与える可能性がある。
【０００６】
この光サージ現象の発生を低減するため、コヒーレントＯＴＤＲとして、波長λ1のプローブ光をパルス化して周波数変調することにより生成される波長λ1＋Δλのプローブ光パルス信号に、波長λ2（≠λ1＋Δλ）のダミー光を重畳することにより、光パワーレベルが時間的にほぼ一定の連続光と見なせる重畳光を光海底ケーブルシステムに送出することが可能なものが既に提案されている（例えば、特許文献１および特許文献２参照）。このようなコヒーレントＯＴＤＲにおいては、波長λ1＋Δλのプローブ光パルス信号の光ファイバからの戻り光および波長λ1のプローブ光から生成される光ビート信号に対してコヒーレント検波技術を用いることにより、光ファイバの伝送損失特性等が算出される。
【特許文献１】特許第３３２７４１６号明細書（［００１０］、図２）
【特許文献２】特許第３５９６９７２号明細書（［００２０］、図４）
【発明の開示】
【発明が解決しようとする課題】
【０００７】
しかしながら、上記提案に係るコヒーレントＯＴＤＲには、通信中に伝送特性の測定を行う場合には、ＥＤＦＡのトータルゲインが一定であるため、通信用の光信号に対するＥＤＦＡのゲインが低下してしまうという課題があった。
【０００８】
本発明は、上記課題を解決するためになされたものであって、光サージ現象の発生を低減するとともに、通信中に伝送特性の測定を行う際に通信用の光信号に対するＥＤＦＡのゲイン低下を抑えることができるコヒーレントＯＴＤＲを提供することを目的とする。
【課題を解決するための手段】
【００１１】
また、本発明のコヒーレントＯＴＤＲは、波長λ1のプローブ光を発するプローブ光光源と、前記プローブ光をパルス化するとともに光周波数変調して波長λ1＋Δλの変調プローブ光信号を生成する変調プローブ光信号生成部とを備え、前記変調プローブ光信号を光ファイバに送出し、前記光ファイバからの戻り光と前記プローブ光との光ビート信号に基づいて、前記光ファイバの伝送損失特性を算出するコヒーレントＯＴＤＲにおいて、前記変調プローブ光信号の波長λ1＋Δλと異なる波長λ2のダミー光を発するダミー光光源と、前記変調プローブ光信号のオフ期間における前記ダミー光の出力がオン状態とオフ状態を交互に繰り返すように前記ダミー光をパルス化して変調ダミー光信号を生成する変調ダミー光信号生成部と、前記変調プローブ光信号と前記変調ダミー光信号を合波して前記光ファイバに送出する光結合器とを含む構成を有している。
【００１２】
この構成により、本発明のコヒーレントＯＴＤＲは、光パルス信号である変調プローブ光信号と光パルス信号である変調ダミー光信号との合波光信号を光ファイバに送出することによって、光サージ現象の発生を低減するとともに、通信中に伝送特性の測定を行う際に通信用の光信号に対するＥＤＦＡのゲイン低下を抑えることができる。
【００１３】
また、本発明のコヒーレントＯＴＤＲにおいては、前記変調ダミー光信号は、周期的な光パルス信号であってもよく、時間的にランダムな光パルス信号であってもよい。
【発明の効果】
【００１５】
本発明は、波長λ1＋Δλの光パルス信号である変調プローブ光信号と、波長λ1＋Δλと異なる波長λ2の光パルス信号である変調ダミー光信号を合波して無パルス時間の短い合波光信号を生成することにより、光サージ現象の発生を低減するとともに、通信中に伝送特性の測定を行う際に通信用の光信号に対するＥＤＦＡのゲイン低下を抑えることができるという効果を有するコヒーレントＯＴＤＲを提供することができる。
【発明を実施するための最良の形態】
【００１６】
以下、本発明に係るコヒーレントＯＴＤＲの実施形態について、図面を用いて説明する。
（第１の実施形態）
本発明に係るコヒーレントＯＴＤＲの第１の実施形態を図１に示す。
【００１７】
即ち、第１の実施形態のコヒーレントＯＴＤＲ１は、波長λ1のプローブ光Ｐを光分波器１３に発するプローブ光光源１１と、波長λ2のダミー光Ｄを発するダミー光光源１２と、予め定められた減衰率でプローブ光Ｐおよびダミー光Ｄの少なくとも一方の光パワーレベルを減衰し、後述する変調プローブ光信号ＰMのピークレベルと変調ダミー光信号ＤMのピークレベルを等しくする減衰器１４ａ、１４ｂと、減衰器１４ａから出射されたプローブ光Ｐをパルス化するとともに光周波数変調して波長λ1＋Δλ（≠λ2）の変調プローブ光信号ＰMを生成する変調プローブ光信号生成部として機能する音響光学変調器（以下、ＡＯＭ（Acousto-Optic Modulator）と記す）１５と、減衰器１４ｂから出射されたダミー光Ｄをパルス化して変調ダミー光信号ＤMを生成する変調ダミー光信号生成部として機能するパルス変調器１６と、変調プローブ光信号ＰMと変調ダミー光信号ＤMを合波する光結合器１７と、光結合器１７によって合波された変調プローブ光信号ＰMと変調ダミー光信号ＤMとの合波光信号Ｍを増幅し、上り側の光ファイバに出射するＥＤＦＡ１８とを含む。
【００１８】
なお、図１では、減衰器１４ａ、１４ｂをＡＯＭ１５とパルス変調器１６の入力側に設置した例を示しているが、減衰器１４ａ、１４ｂをＡＯＭ１５とパルス変調器１６の出力側に設置する構成も可能である。
【００１９】
そして、コヒーレントＯＴＤＲ１は、下り側の光ファイバからの戻り光Ｍ’のうち、波長λ2の変調ダミー光信号の戻り光ＤM’の成分を遮断し、波長λ1＋Δλの変調プローブ光信号の戻り光ＰM’の成分を透過する波長可変光フィルタ１９と、光分波器１３から分波されたプローブ光Ｐと波長可変光フィルタ１９によって透過された波長λ1＋Δλの変調プローブ光信号の戻り光ＰM’とを合波して光ビート信号Ｂを出力する光結合器２０と、光結合器２０から出力された光ビート信号Ｂを光−電気変換する受光器（以下、ＰＤ（Photo Diode）と記す）２１と、ＰＤ２１から出力された電気信号を増幅する増幅器２２と、増幅器２２によって増幅された電気信号をディジタル信号に変換するＡ／Ｄ変換部２３と、Ａ／Ｄ変換部２３で生成されたディジタル信号に対してコヒーレント検波技術を用いることにより、光ファイバの伝送損失特性を算出する信号処理部２４と、信号処理部２４で算出された伝送損失特性を表示する表示部２５とを含む。
【００２０】
さらに、コヒーレントＯＴＤＲ１は、ＡＯＭ１５、パルス変調器１６、Ａ／Ｄ変換部２３、信号処理部２４および表示部２５に対してタイミング信号を発するタイミング発生部２７と、プローブ光光源１１が発するプローブ光Ｐの波長λ1、ダミー光光源１２が発するダミー光Ｄの波長λ2、波長可変光フィルタ１９の遮断波長およびタイミング発生部２７を制御する制御部２６とを含む。
【００２１】
ここで、プローブ光光源１１およびダミー光光源１２は、例えば分布帰還型半導体レーザからなり、出力波長は制御部２６からの波長制御信号に基づいて変化させることが可能である。プローブ光光源１１が発するプローブ光Ｐの波長λ1の典型的な値は１３１０ナノメートル（ｎｍ）、１５５０ｎｍ、１６２５ｎｍなどである。一方、ダミー光光源１２が発するダミー光Ｄの波長λ2は上記の波長λ1と比較して０．４ｎｍ程度異なる値である。
【００２２】
減衰器１４ａ、１４ｂは、予め定められた減衰率でプローブ光Ｐおよびダミー光Ｄの少なくとも一方の光パワーレベルを減衰することにより、合波光信号Ｍにおける変調プローブ光信号ＰMと変調ダミー光信号ＤMとの光パワーのピークレベルが等しくなるように調整する。
【００２３】
タイミング発生部２７は、パルス化用のパルス発生タイミング信号ａ、ｂをそれぞれＡＯＭ１５およびパルス変調器１６へ、Ａ／Ｄ変換タイミング信号ｃをＡ／Ｄ変換部２３へ、信号処理タイミング信号ｄを信号処理部２４へ、表示タイミング信号ｅを表示部２５へそれぞれ送出する。
【００２４】
ＡＯＭ１５は、タイミング発生部２７から送出されるパルス発生タイミング信号ａに従ってプローブ光Ｐを一定の周期でパルス化するとともに光周波数変調して変調プローブ光信号ＰM（波長λ1＋Δλ）を生成する。このときのΔλは、光周波数領域で１００ＭＨｚ程度である。パルス変調器１６は、タイミング発生部２７から送出されるパルス発生タイミング信号ｂに従ってダミー光Ｄをパルス化して、変調ダミー光信号ＤMとして周期的な光パルス信号を生成する。
【００２５】
Ａ／Ｄ変換部２３は、タイミング発生部２７から出力されるＡ／Ｄ変換タイミング信号ｃに従って、入力された電気信号を所定の周期でサンプリングすることにより、光ファイバからの波長λ1＋Δλの変調プローブ光信号の戻り光ＰM’の光パワーレベルを示すディジタル信号を生成する。
【００２６】
信号処理部２４は、タイミング発生部２７から出力される信号処理タイミング信号ｄに従って、上記ディジタル信号に対して加算平均化処理、対数変換等を行って光ファイバの伝送損失特性を求める。表示部２５は、タイミング発生部２７から出力される表示タイミング信号ｅに従って伝送損失特性を表示するものであり、ＣＲＴやＬＣＤなどで構成されている。
【００２７】
次に、本発明の動作について説明する。
プローブ光光源１１から出射された波長λ1の連続光であるプローブ光Ｐは、光分波器１３を介して減衰器１４ａに入射され、光パワーレベルを調整された後にＡＯＭ１５に入射される。プローブ光Ｐは、ＡＯＭ１５において、一定の周期でパルス化されるとともに光周波数変調されて変調プローブ光信号ＰMとなる。図２（ａ）に示すように、変調プローブ光信号ＰMの典型的なパルス周期Ｔは１００ミリ秒（ｍｓ）程度、パルス幅Ｗは１０μｓ程度である。
【００２８】
一方、ダミー光光源１２から出射された波長λ2の連続光であるダミー光Ｄは、減衰器１４ｂに入射され、光パワーレベルを調整された後にパルス変調器１６に入射される。ダミー光Ｄは、パルス変調器１６において、パルス化されて変調ダミー光信号ＤMとなる。変調ダミー光信号ＤMのパルス発生タイミングは、図２（ｂ）に示すように、変調プローブ光信号ＰMと光結合器１７で合波する際に重複しないようになっており、重複しない時間のパルス周期Ｔは１０μｓ程度、パルス幅Ｗは５μｓ程度である。
【００２９】
そして、ＡＯＭ１５およびパルス変調器１６からそれぞれ出射された変調プローブ光信号ＰMおよび変調ダミー光信号ＤMは光結合器１７に入射されて、図２（ｃ）に示すような合波光信号Ｍとなる。
【００３０】
このように生成された合波光信号Ｍは、光結合器１７から出射されてＥＤＦＡ１８に入射され、増幅されて光ファイバに入射される。合波光信号Ｍは、例えば出力がオンとなる時間がオフとなる時間とほぼ等しい光パルス信号であり、連続光が光ファイバに入射された場合と比較して、入力エネルギーが半分となるため、通信用の光信号に対するＥＤＦＡのゲイン低下を抑えることができる。さらに、合波光信号Ｍは、各光パルス信号のピークレベルが等しく、かつ、無パルス時間が短いため、光サージ現象の発生を低減することができる。
【００３１】
なお、光ファイバからの戻り光Ｍ’は、波長可変光フィルタ１９で波長λ2の変調ダミー光信号の戻り光ＤM’の成分を遮断された後に、光分波器１３から分波されたプローブ光Ｐとともに光結合器２０に入射され、合波されて光ビート信号Ｂとなる。光ビート信号Ｂは、ＰＤ２１、増幅器２２、Ａ／Ｄ変換部２３を順次介して、信号処理部２４で信号処理される。信号処理部２４で算出された伝送損失特性は表示部２５で表示される。
【００３２】
以上説明したように、第１の実施形態のコヒーレントＯＴＤＲは、波長λ1＋Δλの光パルス信号である変調プローブ光信号と、波長λ1＋Δλと異なる波長λ2の光パルス信号である変調ダミー光信号を合波して無パルス時間の短い光パルス信号を生成することにより、光サージ現象の発生を低減するとともに、通信中に伝送特性の測定を行う際に通信用の光信号に対するＥＤＦＡのゲイン低下を抑えることができる。
【００３３】
（第２の実施形態）
本発明に係るコヒーレントＯＴＤＲの第２の実施形態を図３および図４に示す。図３は第２の実施形態のコヒーレントＯＴＤＲ２を、図４は試験対象の光海底ケーブルシステムの両岸の陸揚げ局にコヒーレントＯＴＤＲ２を接続して通話またはデータ交換を行う状態を示す図である。なお、第１の実施形態と同様の構成および効果については説明を省略する。
【００３４】
第２の実施形態のコヒーレントＯＴＤＲ２は、減衰器１４ｂから出射されたダミー光Ｄをパルス化して変調ダミー光信号ＤMとして時間的にランダムな光パルス信号を生成するパルス変調器３６（変調ダミー光信号生成部）を含む。そして、コヒーレントＯＴＤＲ２は、光ファイバからの戻り光Ｍ’と相手方のコヒーレントＯＴＤＲ２が発した変調ダミー光信号ＴM（波長λ3）を波長可変光フィルタ１９および波長可変光フィルタ２９に分波する光分波器２８を含む。ここで、波長可変光フィルタ２９は、戻り光Ｍ’（波長λ1＋Δλおよびλ2）を遮断し、相手方のコヒーレントＯＴＤＲ２が送信した変調ダミー光信号ＴM（波長λ3）を透過するものである。
【００３５】
さらに、コヒーレントＯＴＤＲ２は、マイク４１からの音声信号、メモリ４２に記録された計測結果などのデータ情報を変調ダミー光信号ＤMに載せるためのデータ信号を生成するデータ信号生成部４０と、波長可変光フィルタ２９によって透過された相手方のコヒーレントＯＴＤＲ２が送信した波長λ3の変調ダミー光信号ＴMを光−電気変換するＰＤ４３と、ＰＤ４３から出力された電気信号を増幅する増幅器４４と、増幅器４４によって増幅された電気信号をディジタル信号に変換するＡ／Ｄ変換部４５と、Ａ／Ｄ変換部４５で生成されたディジタル信号に対して信号処理を行う信号処理部４６と、信号処理部４６で信号処理された結果をスピーカ４８で再生もしくは表示部４９で表示するデータ信号再生部４７とを含む。
【００３６】
制御部２６は、プローブ光光源１１が発するプローブ光Ｐの波長λ1、ダミー光光源１２が発するダミー光Ｄの波長λ2、波長可変光フィルタ１９および波長可変光フィルタ２９の遮断周波数、タイミング発生部２７のタイミング信号を制御する。タイミング発生部２７は、変調プローブ光信号ＰMを発生するためのタイミング信号ａをＡＯＭ１５に送出するとともに、データ信号生成部４０が生成したデータ信号に基づいて変調ダミー光信号ＤMを発生するためのタイミング信号ｂをパルス変調器３６に送出する。
【００３７】
次に、コヒーレントＯＴＤＲ２の動作について説明する。
プローブ光光源１１から出射された波長λ1の連続光であるプローブ光Ｐは、光分波器１３を介して減衰器１４ａに入射され、光パワーレベルを調整された後にＡＯＭ１５に入射される。プローブ光Ｐは、ＡＯＭ１５において、一定の周期でパルス化されるとともに光周波数変調されて変調プローブ光信号ＰMとなる。図５（ａ）に示すように、変調プローブ光信号ＰMの典型的なパルス周期Ｔは１００ミリ秒（ｍｓ）程度、パルス幅Ｗは１０μｓ程度である。
【００３８】
一方、ダミー光光源１２から出射された波長λ2の連続光であるダミー光Ｄは、減衰器１４ｂに入射され、光パワーレベルを調整された後にパルス変調器３６に入射される。ダミー光Ｄは、パルス変調器３６において、時間的にランダムにパルス化されて変調ダミー光信号ＤMとなる。変調ダミー光信号ＤMは、例えば音声情報、計測結果などのデータ情報が図５（ｂ）に示すようにパルス幅変調（もしくはパルス密度変調）されたものである。
【００３９】
ここで、このデータ情報は、マイク４１からの音声信号、メモリ４２に記録された計測結果などから与えられ、データ信号生成部４０により変調ダミー光信号ＤMに載せるためのデータ信号に変換される。タイミング発生部２７は、制御部２６の指示によりデータ信号に基づいてダミー光Ｄをパルス幅変調するためのタイミング信号ｂを発生する。なお、変調ダミー光信号ＤMのパルス発生タイミングは、変調プローブ光信号ＰMと光結合器１７で合波する際に重複しないようになっている。
【００４０】
そして、ＡＯＭ１５およびパルス変調器３６からそれぞれ出射された変調プローブ光信号ＰMおよび変調ダミー光信号ＤMは光結合器１７に入射されて、図５（ｃ）に示すような合波光信号Ｍとなる。
【００４１】
このように生成された合波光信号Ｍは、光結合器１７から出射されてＥＤＦＡ１８に入射され、増幅されて上り側の光ファイバに入射される。合波光信号Ｍは、例えば出力がオンとなる時間がオフとなる時間とほぼ等しい光パルス信号であり、連続光が光ファイバに入射された場合と比較して、入力エネルギーが半分となるため、通信用の光信号に対するＥＤＦＡのゲイン低下を抑えることができる。さらに、合波光信号Ｍは、無パルス時間が短いため、光サージ現象の発生を低減することができる。
【００４２】
なお、下り側の光ファイバからの戻り光Ｍ’および相手方のコヒーレントＯＴＤＲ２が音声情報等を載せて送出した変調ダミー光信号ＴM（波長λ3）は、光分波器２８に入射され、一方の端子から波長可変光フィルタ１９に、他方の端子から波長可変光フィルタ２９に入射される。そして、波長可変光フィルタ１９に入射された戻り光Ｍ’および変調ダミー光信号ＴMは、波長λ2の変調ダミー光信号の戻り光ＤM’の成分および波長λ3の変調ダミー光信号ＴMを遮断されて、波長λ1＋Δλの変調プローブ光信号の戻り光ＰM’となった後に、光分波器１３から分波されたプローブ光Ｐとともに光結合器２０に入射され、合波されて光ビート信号Ｂとなる。光ビート信号Ｂは、ＰＤ２１、増幅器２２、Ａ／Ｄ変換部２３を順次介して、信号処理部２４で信号処理される。信号処理部２４で算出された伝送損失特性は表示部２５で表示される。
【００４３】
一方、波長可変光フィルタ２９に入射された戻り光Ｍ’および相手方のコヒーレントＯＴＤＲ２が送出した変調ダミー光信号ＴMは、戻り光Ｍ’の成分（波長λ1＋Δλの変調プローブ光信号の戻り光ＰM’の成分および波長λ2の変調ダミー光信号の戻り光ＤM’の成分）を遮断されて、相手方が送出した波長λ3の変調ダミー光信号ＴMのみを透過され、ＰＤ４３に入射される。ＰＤ４３において電気信号に変換された波長λ3の変調ダミー光信号ＴMは、増幅器４４によって増幅される。
【００４４】
増幅器４４によって増幅された波長λ3の変調ダミー光信号ＴMの電気信号は、Ａ／Ｄ変換部４５に入射され、所定の周期でサンプリングされることにより、変調ダミー光信号ＴMのディジタル信号となる。変調ダミー光信号ＴMのディジタル信号は、信号処理部４６に入射され、デコード処理されて、データ信号再生部４７においてスピーカ４８で再生される音声信号または表示部４９で表示される形式の信号に変換される。
【００４５】
このように、本発明のコヒーレントＯＴＤＲ２を光海底ケーブルシステムの対向する２つの陸揚げ局にそれぞれ設置した場合には、音声情報、伝送損失特性の計測結果などのデータ情報を含む変調ダミー光信号ＤM、ＴMを相互に送信することにより、陸揚げ局間での通話、ケーブル障害箇所の特定を精密化することなどが可能となる。
【産業上の利用可能性】
【００４６】
以上のように、本発明に係るコヒーレントＯＴＤＲは、波長λ1＋Δλの光パルス信号である変調プローブ光信号と、波長λ1＋Δλと異なる波長λ2の光パルス信号である変調ダミー光信号を合波して無パルス時間の短い合波光信号を生成することにより、光サージ現象の発生を低減するとともに、通信中に伝送特性の測定を行う際に通信用の光信号に対するＥＤＦＡのゲイン低下を抑えることができるという効果を有し、光パルス試験器等として有効である。
【図面の簡単な説明】
【００４７】
【図１】本発明の第１の実施形態のコヒーレントＯＴＤＲのブロック図
【図２】変調プローブ光信号、変調ダミー光信号、合波光信号を示す模式図
【図３】本発明の第２の実施形態のコヒーレントＯＴＤＲのブロック図
【図４】本発明の第２の実施形態において、光海底ケーブルシステムの陸揚げ局間の通信を説明する概略図
【図５】変調プローブ光信号、変調ダミー光信号、合波光信号を示す模式図
【符号の説明】
【００４８】
１、２  コヒーレントＯＴＤＲ
１１  プローブ光光源
１２  ダミー光光源
１５  ＡＯＭ（変調プローブ光信号生成部）
１６、３６  パルス変調器（変調ダミー光信号生成部）
１７  光結合器
【要約】
【課題】光サージ現象の発生を低減するとともに、通信中に伝送特性の測定を行う際に通信用の光信号に対するＥＤＦＡのゲイン低下を抑えることができるコヒーレントＯＴＤＲを提供する。
【解決手段】波長λ1のプローブ光Ｐを発するプローブ光光源１１と、波長λ2のダミー光Ｄを発するダミー光光源１２と、プローブ光Ｐをパルス化するとともに光周波数変調して波長λ1＋Δλ（≠λ2）の変調プローブ光信号ＰMを生成するＡＯＭ１５と、ダミー光Ｄをパルス化して変調ダミー光信号ＤMを生成するパルス変調器１６と、変調プローブ光信号ＰMと変調ダミー光信号ＤMを合波する光結合器１７と、光結合器１７によって合波された変調プローブ光信号ＰMと変調ダミー光信号ＤMとの合波光信号Ｍを増幅し、光ファイバに出射するＥＤＦＡ１８とを含む。
【選択図】図１【図１】
0004134249.tif 000002
【図２】
0004134249.tif 000003
【図３】
0004134249.tif 000004
【図４】
0004134249.tif 000005
【図５】
0004134249.tif 000006